(57)【要約】  筒状の栓抜きで王冠を抜く動作を、安定して容易に行えるようにする。  筒状本体を切り欠いて王冠係合部を開口し、王冠係合部の上辺に支点部、下辺に係合爪部を形成した筒状栓抜きにおいて、王冠係合部の上辺に２個所下方に突出する支点部を設け、下辺を内側方向に変形させる。２個所の支点部により、開栓動作中に栓抜きがぐらつきにくく、安定する。下辺を内側方向に変形させて係合爪部の平面視曲率半径を大きくしたので、王冠係合部を王冠に係合したとき係合爪部が王冠に引っ掛かる範囲が広くなって開栓動作中に係合爪部１５が王冠７から外れにくい。
2012127690.tif 000002
【特許請求の範囲】
【請求項１】
筒状本体を切り欠いて王冠係合部を開口し、該王冠係合部の上辺に支点部、下辺に係合爪部を形成した筒状栓抜きにおいて、前記上辺に２個所、下方に突出する支点部を設け、前記下辺を内側方向に変形させることで、前記係合爪部の平面視曲率半径を大きくしたことを特徴とする栓抜き。
【発明の詳細な説明】
【技術分野】
【０００１】
本発明は、びんの王冠を抜く、筒状の栓抜きに関する。
【背景技術】
【０００２】
栓抜きは、板状体の先端部に王冠を抜くための開口を形成したものが一般的であり、例えば下記特許文献には、王冠を抜くときにびん口部を損傷するおそれのない板状の栓抜きが開示されている。【０００３】
また、携帯に便利なものとして、筒状の栓抜きが知られている。図８〜１４に示すのは、従来の一般的な筒状の栓抜き１１である。栓抜き１１は、筒状本体１２の一部を切り欠いて王冠係合部１３を形成したものである。筒状本体１２は円筒状をなし、上端が天板１２ａで閉塞されている。王冠係合部１３の上辺は支点部１４、下辺は係合爪部１５となっている。【０００４】
びん６を封緘した王冠７を抜くときは、図１０，１１に示すように、王冠係合部１３を王冠７に係合する。このとき、支点部１４は王冠７の天面に接し、係合爪部１５は王冠外周部の下側に係合する。そして、図１２に示すように、支点部１４を支点とし、栓抜き１１を矢印方向に回動して王冠７を開栓する。
【先行技術文献】
【特許文献】
【０００５】
【特許文献１】特開２００９−２４１９９９号公報
【特許文献２】特開２００９−２５５９９１号公報
【発明の概要】
【発明が解決しようとする課題】
【０００６】
このような筒状の栓抜きは、例えば携帯電話のストラップとして、またキーホルダー用として用いることができるように小型に製作されるので、図１２の開栓動作が不安定でやりにくいという問題がある。そして、図１２のように栓抜き１１を回動した後、図１３に示すように係合爪部１５をびん６のリップ部６ａの下まで深く差し込み（いわゆる「２度差し」）、更に支点部１４を支点として栓抜き１１を回動することが行われる。すると、係合爪部１５は、図１３に矢印に示すように移動し、リップ部６ａと衝突し、びん口部が損傷する可能性がある。【０００７】
本発明は、筒状の栓抜きで王冠を抜く動作を、安定して容易に行えるようにすることを課題とする。また、王冠を抜く動作が容易になることにより、２度差しを不要としてびん口部が損傷するのを防止することも課題とする。
【課題を解決するための手段】
【０００８】
従来の筒状の栓抜きによる開栓動作を検討したところ、開栓動作が不安定になる原因は、主に次の二つであることが分かった。第１に、図１０，１１に示すように、王冠係合部１３を王冠７に係合したとき、支点部１４は１点で王冠７の天面に接するので、開栓動作中に栓抜きがぐらつきやすく、安定しない。第２に、図１４に示すように、王冠係合部１３を王冠７に係合したとき係合爪部１５が王冠７に引っ掛かる範囲が狭いので、開栓動作中に係合爪部１５が王冠７から外れやすい。本発明の栓抜きは、このような問題点を解決したものである。【０００９】
本発明は、筒状本体を切り欠いて王冠係合部を開口し、該王冠係合部の上辺に支点部、下辺に係合爪部を形成した筒状栓抜きにおいて、前記上辺に２個所、下方に突出する支点部を設け、前記下辺を内側方向に変形させることで、前記係合爪部の平面視曲率半径を大きくしたことを特徴とする栓抜きである。
【発明の効果】
【００１０】
王冠係合部の上辺に２個所の支点部を設けたので、開栓動作中に栓抜きがぐらつきにくく、安定する。下辺を内側方向に変形させて係合爪部の平面視曲率半径を大きくしたので、王冠係合部を王冠に係合したとき係合爪部が王冠に引っ掛かる範囲が広くなって開栓動作中に係合爪部１５が王冠７から外れにくい。また、たとえ２度差ししても、係合爪部がびん口のリップ部に衝突しにくくなり、びん口部の損傷を防止できる。
【図面の簡単な説明】
【００１１】
【図１】実施例の栓抜き１の要部斜視図である。
【図２】栓抜き１の要部側面図である。
【図３】図２におけるＡＡ線断面図である。
【図４】栓抜き１の使用状態の説明図である。
【図５】栓抜き１の使用状態の説明図である。
【図６】栓抜き１の係合爪部と王冠の関係の説明図である。
【図７】筒状本体２の形状の斜視図である。
【図８】従来の栓抜き１１の斜視図である。
【図９】栓抜き１１の要部正面図である。
【図１０】栓抜き１１の使用状態の説明図である。
【図１１】栓抜き１１の使用状態の説明図である。
【図１２】栓抜き１１の使用状態の説明図である。
【図１３】栓抜き１１の使用状態の説明図である。
【図１４】栓抜き１１の係合爪部と王冠の関係の説明図である。
【発明を実施するための形態】
【００１２】
次に、実施例の栓抜き１を表した図１〜７に基づいて本発明を詳細に説明する。
栓抜き１は、筒状本体２の一部を切り欠いて、王冠係合部３を開口したものである。筒状本体２は金属製で円筒形をなし、上端が天板２ａで閉塞している。上端よりも少し下側に王冠係合部３が開口している。王冠係合部３の上辺中央はアーチ形に形成され、その両側に２つの支点部４，４が下方に向かって突出形成されている。また、王冠係合部３の下辺は、図２に示されるように内側に向かって変形され、図３に示されるように、係合爪部５の平面視曲率半径が筒状本体の曲率半径よりも大きくなっている。この実施例の場合、係合爪部５の平面視曲率半径は無限大（直線）である。
【００１３】
図４に示されるように、王冠係合部３を王冠７に係合したとき、２個の支点部４，４が王冠７の天面に接するので、開栓動作中に栓抜きがぐらつきにくく、安定して王冠を抜くことができる。
【００１４】
王冠係合部３の下辺を内側方向に向かって変形させたので、図５に示すように、王冠係合部３を王冠７に係合したとき、係合爪部５がびん口に接触せず、また、開栓時に栓抜きを回動したときの係合爪部５の軌跡（矢印）が、びん口のリップ部６ａから離れ、係合爪部５がリップ部６ａに衝突しにくくなり、開栓時におけるびん口部の損傷を防止できる。
【００１５】
図６に示すように、係合爪部５の平面視曲率半径が大きいので、王冠係合部３を王冠７に係合したとき、図１４と比較して、係合爪部５が王冠７に引っ掛かる範囲が広くなり、開栓動作中に係合爪部５が王冠７から外れにくく、開栓が容易となる。
【００１６】
筒状本体２の断面形状は、円形に限らず、楕円形や多角形（五角以上）とすることができる。また、筒状本体２の形状は、図７に例示するように、下端の径ｄ２を上端の径ｄ１よりも大きくすることができる。図７の左側は下方に向かって直線的に径が大きくなり、右側は下方に向かって曲線的に径が大きくなるデザインである。これにより、開栓時に筒状本体が握りやすくなり、また、机の上に立てた状態で安定して常設することができる。ｄ２／ｄ１は１．２〜２．０が適当である。
【符号の説明】
【００１７】
１  栓抜き
２  筒状本体
２ａ  天板
３  王冠係合部
４  支点部
５  係合爪部
６  びん
６ａ  リップ部
７  王冠
１１  栓抜き
１２  筒状本体
１２ａ  天板
１３  王冠係合部
１４  支点部
１５  係合爪部
【図１】
2012127690.tif 000003
【図２】
2012127690.tif 000004
【図３】
2012127690.tif 000005
【図４】
2012127690.tif 000006
【図５】
2012127690.tif 000007
【図６】
2012127690.tif 000008
【図７】
2012127690.tif 000009
【図８】
2012127690.tif 000010
【図９】
2012127690.tif 000011
【図１０】
2012127690.tif 000012
【図１１】
2012127690.tif 000013
【図１２】
2012127690.tif 000014
【図１３】
2012127690.tif 000015
【図１４】
2012127690.tif 000016
【手続補正書】
【提出日】平成24年4月5日(2012.4.5)
【手続補正１】
【補正対象書類名】特許請求の範囲
【補正対象項目名】全文
【補正方法】変更
【補正の内容】
【特許請求の範囲】
【請求項１】
筒状本体を切り欠いて王冠係合部を開口し、該王冠係合部の上辺に支点部、下辺に係合爪部を形成した筒状栓抜きにおいて、前記上辺に２個所、下方に突出する支点部を設け、前記下辺を内側方向に変形させることで、前記係合爪部の平面視曲率半径を大きくし、開栓に際して前記王冠係合部を王冠に係合したときに、２個所の前記支点部のみが王冠の天面に接することを特徴とする栓抜き。
【手続補正２】
【補正対象書類名】明細書
【補正対象項目名】０００９
【補正方法】変更
【補正の内容】
【０００９】
本発明は、筒状本体を切り欠いて王冠係合部を開口し、該王冠係合部の上辺に支点部、下辺に係合爪部を形成した筒状栓抜きにおいて、前記上辺に２個所、下方に突出する支点部を設け、前記下辺を内側方向に変形させることで、前記係合爪部の平面視曲率半径を大きくし、開栓に際して前記王冠係合部を王冠に係合したときに、２個所の前記支点部のみが王冠の天面に接することを特徴とする栓抜きである。
【国際調査報告】
2012127690.tif 000017
2012127690.tif 000018